(57)【特許請求の範囲】
【請求項１】
長手方向の一端に鉤状片を、他端に、隣接する他の引留め具の前記鉤状片を掛止するリング片を備えた掛止杆と、前記鉤状片とリング片が両端から突出するように、該掛止杆を介して互いに重ね合わせ、挟持ボルトとこれに螺合する挟持ナットによって互いに締付ける、一対の本体部片で構成し、各本体部片の長手方向に沿う一端のそれぞれに、ケーブル支持線の一半を係合させて挟持させる挟持溝を設けた、ケーブル支持線引留め具。
【発明の詳細な説明】
【技術分野】
【０００１】
本発明は、光ケーブルや電話線等の通信線を本線から分岐させたり、或いは、電柱周辺等から建物に引込む際に用いるケーブル支持線引留め具に関するものである。
【背景技術】
【０００２】
支持線を巻付けて引留める巻付け部を片面に並設した引留め具本体の長手方向の一端に、分岐金物や建屋壁面などに掛止する掛止杆を突設して構成したものがある（例えば、特許文献１、２）。
【先行技術文献】
【特許文献】
【０００３】
【特許文献１】特開２００４−３４３８３４号公報
【特許文献２】実公平３−４７３９９号公報
【発明の概要】
【発明が解決しようとする課題】
【０００４】
前記従来構造のものは、巻付け部に支持線を牽引案内させて巻付け固定して支持線を張設し、該支持線に、例えば、通信線を支持させて引留めるものであるが、巻付け部に対する巻付け作業が煩雑なだけでなく、構成上、複数の支持線を組付けられる構成になっていないので、複数の通信線を一方向に引留める場合に適用することが難しく、適用上の制約がある。
【０００５】
本発明は、巻付け作業を回避できるだけでなく、光ファイバーケーブルなどの通信線のための、複数本の支持線を不都合なく、一方向に引留められるケーブル支持線引留め具を提供することを目的とするものである。
【課題を解決するための手段】
【０００６】
長手方向の一端に鉤状片を、他端に隣接する他の引留め具の前記鉤状片を掛止するリング片を備えた掛止杆と、前記鉤状片とリング片が両端から突出するように、該掛止杆を介して互いに重ね合わせ、挟持ボルトとこれに螺合する挟持ナットによって互いに締付ける、一対の本体部片で構成し、各本体部片の長手方向に沿う一端のそれぞれに、ケーブル支持線の一半を係合させて挟持させる挟持溝を設けた構成とするのである。
【発明の効果】
【０００７】
本発明のケーブル引留め具によれば、挟持溝を利用して支持線を挟持でき、該支持線を屈曲変形する必要なく組付けられ、作業性を向上させることができ、鉤状片とリング片の掛止関係によって連結して用いることができるから、複数の支持線を支障なく一方向に引留められ、引留める個所の空間域を単純化し、見栄えの良好な引留め状態を得ることができる。
【図面の簡単な説明】
【０００８】
【図１】使用状態を示す正面図。
【図２】図１の一部拡大図。
【図３】図２の平面図。
【図４】正面図。
【図５】平面図。
【図６】図４のｘ−ｘ線断面図。
【図７】図５のｙ−ｙ線断面図。
【発明を実施するための形態】
【０００９】
図面は、本発明に係るケーブル支持線引留め具の一実施形態を示し、実施形態の引留め具Ａは、引留め具本体１と、必要に応じて該本体１に組付けて用いる一対の挟持片２，２とで構成する。
【００１０】
引留め具本体１は、相対する内側面に設けた係合溝１０１ａ，１０１ａ内に係合した掛止杆３を介在させて互いに重ね合わせて、挟持ボルト４と挟持ナット５で締付けた、一対の本体部片１０１，１０１で構成し、本体部片１０１，１０１の、互いに重ね合う前記内側面の長手方向に沿う一端のそれぞれに挟持溝６，６を設け、該挟持溝に一半を係合した光分岐ケーブル（光ドロップケーブル）の支持線ａを挟持するようにしたものである。
【００１１】
なお、本体部片１０１の、前記内側面に相対する外側面の長手方向に沿う一端には挟持溝６と同様にして第二挟持溝６Ａを設け、この第二挟持溝６Ａと前記挟持片２に設けた挟持溝６Ｂに光分岐ケーブルの支持線ａを係合して挟持片２と本体部片１０１とでケーブルａを挟持するようにしてある。
【００１２】
そして、挟持ボルト４と挟持ナット５で締付けたときの、前記本体部片１０１，１０１の長手方向の両端に突出する、前記掛止杆３の両端部の一方を鉤状片３０１、他方を、隣接して配する、他の引留め具本体１の鉤状片３０１を掛止するリング片３０２とし、引留め具本体１（引留め具Ａ）は、鉤状片３０１とリング片３０２との掛止関係により順次連結するようにしてある。
【００１３】
前記挟持片２は、前記本体部片１０１に、光分岐ケーブルの支持線ａの挟持用として設けた前記第二挟持溝６に相対する前記挟持溝６Ｂを備え、これら挟持溝６，６Ｂに支持線ａを係合するようにして本体部片１０１に重ね合わせ、本体部片１０１に埋設した締付けナット７に挟持片２の外側から該挟持片２に設けた通し孔９を通じて締付けボルト８を螺合して締付けることにより、挟持片２は、引留め具本体１（本体部片１０１）に組付けられ、光分岐ケーブルの支持線ａを挟持する。
【００１４】
実施形態の引留め具Ａは、電柱ｄ間に架線した光ケーブルの幹線（自己支持型ケーブルで成る）ｍを電柱ｄ近傍のクロージャーＬ内で分岐し、クロージャーＬから導出した光分岐ケーブルａ，…を前記幹線ｍに沿わせて支持させ、需要家宅に引込み（ドロップ）ケーブルとして用いるときの、前記光分岐ケーブルの支持線ａの支持装置に適用したものである。
【００１５】
図中、１１は、この支持装置を構成する支持材で、支持材１１は、金属杆を屈曲して成る掛止材１１１を相対向面に設けた溝１１２，１１２に係合して重ね合わせた一対の構成駒１１３，１１３を、ボルト１２とナット１３で互いに締付け、前記相対向面の長手方向に沿う一端に設けた係合溝１１４，１１４に係合させた、自己支持型の幹線ケーブルｍの支持線部ｍａを挟持するようにしたものである。
【００１６】
そして、ボルト１２とナット１３で締付けて前記支持線部ｍａを挟持させて、該支持線部ｍａに固定した支持材１１の長手方向の一端に突設したリング片１１１ａ（前記掛止材１１１で構成した）に鉤状片３０１を引っ掛けて引留め具Ａを連結し、この引留め具Ａのリング片３０２に鉤状片３０１を掛止して第二の引留め具Ａを連結し、引留め具Ａ（図示Ａａで示す）には３本の光分岐ケーブルａ，ａ，ａを挟持させ、他の引留め具Ａ（図示Ａｂで示す）には他の３本の光分岐ケーブルａを挟持させ、引留め具Ａ部を基点として牽引した（テンションをかけた）、各分岐ケーブルａを需要家宅に引込むようにして実施形態の支持装置を得ることができる。
【００１７】
なお、本発明に係る引留め具Ａは、光分岐ケーブルａの配置態様に対応させて引留め具本体１のみを用いたり、該本体１同士を鉤状片３０１とリング片３０２を利用して複数個連結したり、引留め具本体１に一対の挟持片２，２の一方又は双方を前記手段によって組付けて用いることができる。つまり、実施形態のものは、１本２本又は３本の、ケーブル支持線を選択的に引留められ、また、１本又は２本のケーブルを引留めた状態で、１本又は２本を追加して２本又は３本のケーブル（支持線）を引留める際にも適用できるようにしたもので、引留めるケーブルの数の選択は、引留め具本体１と掛止杆３のみで構成するか、該引留め具Ａの本体１の一対の挟持片２，２の一方又は双方を、締付けボルト８を引留めるようにすることによっても達成できる。
【００１８】
本発明に係る引留め具Ａは、光ケーブル引込みのための装置に、その適用目的を限定する必要はない。
【符号の説明】
【００１９】
３          掛止杆
４          挟持ボルト
５          挟持ナット
６          挟持溝
１０１      本体部片
３０１      鉤状片
３０２      リング片
【図１】
0005537486.tif 000002
【図２】
0005537486.tif 000003
【図３】
0005537486.tif 000004
【図４】
0005537486.tif 000005
【図５】
0005537486.tif 000006
【図６】
0005537486.tif 000007
【図７】
0005537486.tif 000008